(57)【要約】【課題】  異なる記録単位で管理されている動画像が混在して記録されている場合であっても正確に代表画像を表示させる。【解決手段】  記録媒体に記録された動画像データを１以上の第１の単位からなる第２の単位で管理すると共に、前記第１の単位または第２の単位毎に再生開始位置を決定して前記動画像データを再生する再生手段と、前記動画像データが所定の装置にて記録されたものであるか否かを判別する判別手段と、前記記録媒体に記録されている動画像データの代表画像からなる代表画面を生成して表示装置に表示する代表画像生成手段と、前記判別手段の判別結果に応じて、前記第１の単位毎または、前記第２の単位毎の代表画像の何れかを選択して表示するよう前記代表画像生成手段を制御する制御手段と、前記代表画面を用いて前記動画像データの再生開始を指示する指示手段とを備える。【選択図】  図７
2006238337.tif 000002
【特許請求の範囲】
【請求項１】
記録媒体に記録された動画像データをｎ個（ｎは１以上の整数）の第１の単位からなる第２の単位で管理すると共に、前記第１の単位または第２の単位毎に再生開始位置を決定して前記記録媒体より前記動画像データを再生する再生手段と、
前記動画像データが所定の装置にて記録されたものであるか否かを判別する判別手段と、
前記記録媒体に記録されている動画像データの代表画像からなる代表画面の画像データを生成して表示装置に表示する代表画像生成手段と、
前記判別手段の判別結果に応じて、前記第１の単位毎の代表画像または、前記第２の単位毎の代表画像のうちの何れかを選択して表示するよう前記代表画像生成手段を制御する制御手段と、
前記代表画面を用いて前記動画像データの再生開始を指示する指示手段とを備える再生装置。
【請求項２】
前記所定の装置は記録開始から記録停止までの動画像データを一つの前記第１の単位として記録すると共に所定数の前記第１の単位の動画像データを前記第２の単位として記録する装置であり、前記制御手段は、前記動画像データが前記所定の装置にて記録されたものであった場合には前記第１の単位毎の代表画像を前記代表画面に表示し、前記所定の装置以外の装置にて記録されたものであった場合には前記第２の単位毎の代表画像を前記代表画面に表示するよう前記代表画像生成手段を制御することを特徴とする請求項１記載の再生装置。
【請求項３】
前記制御手段は、一つの前記代表画面上に前記第１の単位毎の代表画像と前記第２の単位毎の代表画像とを表示するよう前記代表画像生成手段を制御することを特徴とする請求項１または２記載の再生装置。
【請求項４】
前記判別手段は、前記第２の単位の動画像データ毎に前記所定の装置で記録されたものであるか否かを判別し、前記制御手段は、前記第２の単位の動画像データが前記所定の装置で記録されたものであった場合には前記第２の単位を構成する第１の単位毎の代表画像を表示し、前記所定の装置以外で記録されたものであった場合には前記第２の単位毎の代表画像を表示するよう前記代表画像生成手段を制御することを特徴とする請求項１記載の再生装置。
【請求項５】
前記記録媒体に記録された全ての動画像データについて、前記第１の単位毎に前記代表画像を表示するか、あるいは、前記第２の単位毎に前記代表画像を表示するかを任意に選択する選択手段を備え、前記制御手段は、前記選択手段により前記第１の単位毎あるいは前記第２の単位毎の代表画像の表示指示があった場合には前記判別手段の判別結果にかかわらず、前記選択手段の選択結果に応じて前記第１の単位または前記第２の単位毎に前記代表画像を表示するよう前記代表画像生成手段を制御することを特徴とする請求項１記載の再生装置。
【請求項６】
記録媒体に記録された動画像データをｎ個（ｎは１以上の整数）の第１の単位からなる第２の単位で管理すると共に、前記第１の単位または第２の単位毎に再生開始位置を決定して前記記録媒体より前記動画像データを再生する再生手段と、
１回の記録指示により記録される前記動画像データが前記第１の単位と前記第２の単位の何れを単位として記録されたものであるかを判別する判別手段と、
前記記録媒体に記録されている動画像データの代表画像からなる代表画面の画像データを生成して表示装置に表示する代表画像生成手段と、
前記判別手段の判別結果に応じて、前記第１の単位毎の代表画像または、前記第２の単位毎の代表画像のうちの何れかを選択して表示するよう前記代表画像生成手段を制御する制御手段と、
前記代表画面を用いて前記動画像データの再生開始を指示する指示手段とを備える再生装置。
【請求項７】
前記制御手段は、前記動画像データが前記第１の単位として記録されていた場合には前記第１の単位毎の代表画像を前記代表画面に表示し、前記動画像データが前記第２の単位として記録されていた場合には前記第２の単位毎の代表画像を前記代表画面に表示するよう前記代表画像生成手段を制御することを特徴とする請求項６記載の再生装置。
【請求項８】
前記制御手段は、前記動画像データが前記第１の単位として記録されていた場合には、この第１の単位を含む前記第２の単位の動画像データを構成する全ての前記第１の単位毎の代表画像を前記代表画面に表示するよう前記代表画像生成手段を制御することを特徴とする請求項７記載の再生装置。
【請求項９】
前記制御手段は、一つの前記代表画面上に前記第１の単位毎の代表画像と前記第２の単位毎の代表画像とを表示するよう前記代表画像生成手段を制御することを特徴とする請求項７記載の再生装置。
【請求項１０】
前記記録媒体に記録された全ての動画像データについて、前記第１の単位毎に前記代表画像を表示するか、あるいは、前記第２の単位毎に前記代表画像を表示するかを任意に選択する選択手段を備え、前記制御手段は、前記選択手段により前記第１の単位毎あるいは前記第２の単位毎の代表画像の表示指示があった場合には前記判別手段の判別結果にかかわらず、前記選択手段の選択結果に応じて前記第１の単位または前記第２の単位毎に前記代表画像を表示するよう前記代表画像生成手段を制御することを特徴とする請求項６記載の再生装置。
【請求項１１】
前記記録媒体はデジタル多用途ディスク（ＤＶＤ）であり、前記第１の単位は前記ＤＶＤにて規定されたチャプタであり、前記第２の単位は前記ＤＶＤにて規定されたタイトルであることを特徴とする請求項１から１０の何れかに記載の再生装置。
【請求項１２】
ディスク状記録媒体に記録された動画像データをｎ個（ｎは１以上の整数）の第１の単位からなる第２の単位で管理すると共に、前記第１の単位または第２の単位毎に再生開始位置を決定して前記ディスク状記録媒体より前記動画像データを再生する再生手段と、
前記ディスク状記録媒体が所定の大きさであるか否かを判別する判別手段と、
前記記録媒体に記録されている動画像データの代表画像からなる代表画面の画像データを生成して表示装置に表示する代表画像生成手段と、
前記判別手段の判別結果に応じて、前記第１の単位毎の代表画像または、前記第２の単位毎の代表画像のうちの何れかを選択して表示するよう前記代表画像生成手段を制御する制御手段と、
前記代表画面を用いて前記動画像データの再生開始を指示する指示手段とを備える再生装置。
【請求項１３】
前記所定の大きさのディスク状記録媒体は、１回の記録指示により記録する動画像データを一つの前記第１の単位として記録する記録装置用の記録媒体であり、前記制御手段は、前記ディスク状記録媒体が前記所定の大きさであった場合には前記第１の単位毎の代表画像を前記代表画面に表示し、前記所定の大きさ以外の大きさであった場合には前記第２の単位毎の代表画像を前記代表画面に表示するよう前記代表画像生成手段を制御することを特徴とする請求項１２記載の再生装置。
【請求項１４】
ディスク状記録媒体に記録された動画像データをｎ個（ｎは１以上の整数）の第１の単位からなる第２の単位で管理すると共に、前記第１の単位または第２の単位毎に再生開始位置を決定して前記ディスク状記録媒体より前記動画像データを再生する再生手段と、
前記ディスク状記録媒体が、１回の記録指示により記録する動画像データを一つの前記第１の単位として記録する所定の記録装置用の記録媒体であるか否かを判別する判別手段と、
前記記録媒体に記録されている動画像データの代表画像からなる代表画面の画像データを生成して表示装置に表示する代表画像生成手段と、
前記判別手段の判別結果に応じて、前記第１の単位毎の代表画像または、前記第２の単位毎の代表画像のうちの何れかを選択して表示するよう前記代表画像生成手段を制御する制御手段と、
前記代表画面を用いて前記動画像データの再生開始を指示する指示手段とを備える再生装置。
【請求項１５】
前記制御手段は、前記ディスク状記録媒体が前記所定の装置用の記録媒体であった場合には前記第１の単位毎の代表画像を前記代表画面に表示し、前記所定の装置用以外の記録媒体であった場合には前記第２の単位毎の代表画像を前記代表画面に表示するよう前記代表画像生成手段を制御することを特徴とする請求項１４記載の再生装置。
【請求項１６】
前記指示手段は、前記代表画面上に表示された複数の前記代表画像のうちの何れかを任意に選択し、前記再生手段は前記選択された代表画像に対応した前記第１の単位あるいは第２の単位の動画像データの先頭より再生を開始することを特徴とする請求項１から１５の何れかに記載の再生装置。
【請求項１７】
記録媒体に記録された動画像データをｎ個（ｎは１以上の整数）の第１の単位からなる第２の単位で管理すると共に、前記第１の単位または第２の単位毎に再生開始位置を決定して前記記録媒体より前記動画像データを再生する再生ステップと、
前記動画像データが所定の装置にて記録されたものであるか否かを判別する判別ステップと、
前記記録媒体に記録されている動画像データの代表画像からなる代表画面の画像データを生成して表示装置に表示する代表画像生成ステップと、
前記判別ステップの判別結果に応じて、前記第１の単位毎の代表画像または、前記第２の単位毎の代表画像のうちの何れかを選択して表示するよう前記代表画像生成ステップを制御する制御ステップと、
前記代表画面を用いて前記動画像データの再生開始を指示する指示ステップとを有する再生方法。
【請求項１８】
記録媒体に記録された動画像データをｎ個（ｎは１以上の整数）の第１の単位からなる第２の単位で管理すると共に、前記第１の単位または第２の単位毎に再生開始位置を決定して前記記録媒体より前記動画像データを再生する再生ステップと、
１回の記録指示により記録される前記動画像データが前記第１の単位と前記第２の単位の何れを単位として記録されたものであるかを判別する判別ステップと、
前記記録媒体に記録されている動画像データの代表画像からなる代表画面の画像データを生成して表示装置に表示する代表画像生成ステップと、
前記判別ステップの判別結果に応じて、前記第１の単位毎の代表画像または、前記第２の単位毎の代表画像のうちの何れかを選択して表示するよう前記代表画像生成ステップを制御する制御ステップと、
前記代表画面を用いて前記動画像データの再生開始を指示する指示ステップとを有する再生方法。
【請求項１９】
ディスク状記録媒体に記録された動画像データをｎ個（ｎは１以上の整数）の第１の単位からなる第２の単位で管理すると共に、前記第１の単位または第２の単位毎に再生開始位置を決定して前記ディスク状記録媒体より前記動画像データを再生する再生ステップと、
前記ディスク状記録媒体が所定の大きさであるか否かを判別する判別ステップと、
前記記録媒体に記録されている動画像データの代表画像からなる代表画面の画像データを生成して表示装置に表示する代表画像生成ステップと、
前記判別ステップの判別結果に応じて、前記第１の単位毎の代表画像または、前記第２の単位毎の代表画像のうちの何れかを選択して表示するよう前記代表画像生成ステップを制御する制御ステップと、
前記代表画面を用いて前記動画像データの再生開始を指示する指示ステップとを有する再生方法。
【請求項２０】
ディスク状記録媒体に記録された動画像データをｎ個（ｎは１以上の整数）の第１の単位からなる第２の単位で管理すると共に、前記第１の単位または第２の単位毎に再生開始位置を決定して前記ディスク状記録媒体より前記動画像データを再生する再生ステップと、
前記ディスク状記録媒体が、１回の記録指示により記録する動画像データを一つの前記第１の単位として記録する所定の記録装置用の記録媒体であるか否かを判別する判別ステップと、
前記記録媒体に記録されている動画像データの代表画像からなる代表画面の画像データを生成して表示装置に表示する代表画像生成ステップと、
前記判別ステップの判別結果に応じて、前記第１の単位毎の代表画像または、前記第２の単位毎の代表画像のうちの何れかを選択して表示するよう前記代表画像生成ステップを制御する制御ステップと、
前記代表画面を用いて前記動画像データの再生開始を指示する指示ステップとを有する再生方法。
【発明の詳細な説明】
【技術分野】
【０００１】
本発明は再生装置に関し、特に代表画面の表示制御に関するものである。
【背景技術】
【０００２】
近年、ハードディスク（ＨＤＤ）やＤＶＤなどのディスク媒体に対してテレビジョン放送を受信して記録するビデオレコーダが普及している。
【０００３】
このようなビデオレコーダでは、１回に記録したコンテンツをタイトルという単位で管理することが一般的である。また、このタイトルを更に細かい単位で管理するため、チャプタという単位を設け、頭だしなどに利用するものもある。
【０００４】
また、再生時には、各タイトルの代表画像（サムネイル画像）の一覧を表示し、ユーザがこれらのタイトルの中から再生したいタイトルの代表画像を選択する、といったＧＵＩを利用する構成が主流である。また、タイトルの代表画像ではなく、チャプタ毎に代表画像を表示する機能を持つものもある。
【０００５】
一方、ビデオカメラにおいても、従来の磁気テープに代わり、ＤＶＤに対して撮影した画像を記録する装置も登場している（例えば、特許文献１参照）。ＤＶＤを利用したビデオカメラでは、１回に撮影したシーンを、タイトルではなく、チャプタとして記録しておき、所定数のシーン（チャプタ）を撮影した時点で一つのタイトルにまとめて管理している。
【特許文献１】特開２００４−２０１１７０号
【発明の開示】
【発明が解決しようとする課題】
【０００６】
特許文献１に代表されるビデオカメラにおいては、一般に、１回の撮影シーンをチャプタとして管理する一方、所定数のチャプタをまとめてタイトルとして管理している。
【０００７】
これに対し、ビデオレコーダでは、再生時にタイトル毎の代表画像の一覧を表示して再生コンテンツを選択するＧＵＩが一般的であるため、ビデオカメラにより撮影された動画像が記録されたＤＶＤをビデオレコーダにより再生しようとした場合、タイトル毎の代表画像しか表示されない。
【０００８】
そのため、実際には一つのタイトル内には複数のシーン（チャプタ）が含まれているにもかかわらず、再生する場合にはタイトル単位でしか再生できず、非常に使い勝手が悪い。
【０００９】
また、チャプタ単位での代表画像一覧表示、再生機能を持つ場合であっても、テレビジョン放送を録画した場合には、タイトル単位で再生できた方が利便性が高い場合が多く、ユーザは、その都度自分で代表画像一覧の表示単位を切り替えなければならない、という問題もある。
【００１０】
本発明が解決しようとしている課題は、この様に、異なる記録単位で管理されている動画像が混在して記録されている場合であっても正確に代表画像を表示させ、ユーザに混乱をきたさないシステムを提供することである。
【課題を解決するための手段】
【００１１】
本発明においては、記録媒体に記録された動画像データをｎ個（ｎは１以上の整数）の第１の単位からなる第２の単位で管理すると共に、前記第１の単位または第２の単位毎に再生開始位置を決定して前記記録媒体より前記動画像データを再生する再生手段と、前記動画像データが所定の装置にて記録されたものであるか否かを判別する判別手段と、前記記録媒体に記録されている動画像データの代表画像からなる代表画面の画像データを生成して表示装置に表示する代表画像生成手段と、前記判別手段の判別結果に応じて、前記第１の単位毎の代表画像または、前記第２の単位毎の代表画像のうちの何れかを選択して表示するよう前記代表画像生成手段を制御する制御手段と、前記代表画面を用いて前記動画像データの再生開始を指示する指示手段とを備える。
【発明の効果】
【００１２】
本発明によれば、記録媒体に記録されているコンテンツごとに、代表画像の表示単位を的確に判定し、表示することが可能となる。
【発明を実施するための最良の形態】
【００１３】
図１は本発明を適用したビデオカメラの内部構成を説明する図である。
【００１４】
１３０はレンズユニットであり、集光のための固定レンズ群、変倍レンズ群、絞り、変倍レンズ群の動きで移動した結像位置を補正する機能と焦点調節を行う機能とを兼ね備えた補正レンズ群により構成される。レンズユニット１３０によって、最終的に後述のＣＣＤ１３１の結像面上に被写体像が結像される。１３１はＣＣＤ（ｃｈａｒｇｅ  ｃｏｕｐｌｅｄ  ｄｅｖｉｃｅ）であり、光を電荷に変換し撮像信号を生成する。
【００１５】
１３２はＡ／Ｄ処理部であり、撮像信号に所定の処理を施しデジタル画像データを出力する。また、これらを総じてカメラユニットとする。また、図１には図示していないが、変倍レンズ群、絞りなどのアクチュエータ、手ぶれ補正のためのセンサー（例えば角速度センサー）、同補正手段（シフトレンズなど）が備えられている。１３５はカメラ制御マイクロコンピュータであり、後述のマイクロコンピュータ１１０の制御に従いカメラユニットを制御するものである。また、カメラユニットの情報、例えば合焦情報、手ぶれ情報などのカメラユニットから得られる情報をマイクロコンピュータ１１０に伝達する役割も果たしている。１３３はマイクユニットである。マイクユニット１３３は撮影時に音声を集めるために備わっており、所定の増幅、帯域制限等が含まれる。１３４はＡ／Ｄ処理部であり、マイクユニット１３３の出力を受けデジタル音声データを出力する。
【００１６】
１１０はマイクロコンピュータであり、ビデオカメラ全体を制御する。マイクロコンピュータ１１０は、プログラムを格納する不揮発性メモリ（ＲＯＭ）、作業領域となる揮発性メモリ（ＲＡＭ）、他のハードウエアとデータの受け渡しや制御用レジスタをアクセスするための外部バス、時間を計測するタイマを少なくとも有している。１０３はバスである。バス１０３には各ブロックが接続されており、マイクロコンピュータ１１０の制御に従ってデータの受け渡しを行う伝送路である。
【００１７】
１０２はエンコーダ部であり、マイクロコンピュータ１１０の制御に従いデジタル画像データ、及びデジタル音声データを受け、ＭＰＥＧ２方式で圧縮符号化し、さらに時系列順に多重化して圧縮ビデオデータを生成する。また、エンコーダ部１０２には、例えばデータ位置とフレーム位置の変換に必要となる情報などをマイクロコンピュータ１１０に通知する機能を備えている。
【００１８】
１０４は制御回路であり、エンコーダ部１０２と、後述のメモリ１０６、光ディスク１２０、及びデコーダ部１０８とのインターフェースを有し、マイクロコンピュータ１１０の制御によってデータの受け渡しを制御する。１０６はメモリであり、各ブロックが作業用に使用可能となっている。
【００１９】
１２０は光ディスクであり、本形態ではＤＶＤを用いる。制御回路１０４は、バス１０３に接続されるマイクロコンピュータ１１０やメモリ１０６とのインターフェースと、光ディスク１２０とのインターフェースを有し、マイクロコンピュータ１１０等から光ディスク１２０の制御レジスタにアクセスするための変換を行うものである。なお光ディスク１２０はメディアそのもののみではなく、ヘッド、モータを含むメカデッキ、それらを制御する制御回路、及び制御回路１０４と接続可能なインターフェース（例えばＡＴＡＰＩ  Ｉ／Ｆ）を有し、光ディスクにデータ等を読み書き可能なユニットのことである。
【００２０】
制御回路１０４には、メモリ１０６の先頭アドレスとデータ量、及び光ディスク１２０の書き込む先頭セクタを指定することにより、読み出しまたは書き込みデータを自動転送する所謂ダイレクトメモリアクセス（ＤＭＡ）機能が備わっている。
【００２１】
１０８はデコーダ部であり、マイクロコンピュータ１１０に指定されたメモリ１０６のアドレスから圧縮ビデオデータや圧縮静止画データを逐次読み出し、例えばＩＴＵ−Ｒ  ＢＴ．６５６（ＣＣＩＲ６５６）等のデジタル映像信号、及びデジタル音声信号に変換し、出力する。圧縮静止画データの再生時には、必要があれば縮小処理を行うことが出来るよう工夫されている。
【００２２】
１０７は音声出力部、１０９は映像出力部である。映像出力部１０９、音声出力部１０７はデコーダ部１０８によって変換されたデジタル映像信号、及びデジタル音声信号をそれぞれアナログ信号に変換し外部に出力するためのブロックであり、テレビジョン受像機等に接続される。１１６はスピーカーユニットであり、前述デジタル音声信号を受け音声を再生するためのものである。
【００２３】
１１３はオンスクリーンディスプレイ（ＯＳＤ）部であり、各種設定メニューやタイトル、時間などの情報をビデオ出力に重畳させるものである。またＯＳＤ部１１３には、デコーダ部１０８から入力されるデジタル映像信号をキャプチャーし、縮小処理を施し、任意の位置に重畳させる機能も兼ね備えている。
【００２４】
１１２は操作スイッチ群、１６２はトリガースイッチ、１６３はモードダイアルである。いずれもユーザ操作によって入力された信号をマイクロコンピュータ１１０が判定し動作させるものである。モードダイアル１６３は回転式スイッチであり、動画撮影を行うカメラモード、主電源を遮断するオフモード、さらに撮影像の再生を行う再生モードを選択するものである。トリガースイッチ１６２はカメラモードでは動画像記録開始要求、または停止要求としてマイクロコンピュータ１１０は認識する。１１５はリアルタイムクロックであり、カレンダー及び時刻情報をマイクロコンピュータ１１０に伝達するためのものである。また初期値とカウント開始命令はユーザが操作スイッチ１１２によって入力し、マイクロコンピュータ１１０を介して与えられる。録画コンテンツに付与されるタイムスタンプ情報等に利用する。
【００２５】
マイクロコンピュータ１１０は所定のファイルシステムを扱うソフトウエアを搭載しており、このファイルシステムに従って光ディスク１２０へのデータの読み書きが行われる。
【００２６】
次に動画像の記録時の動作を説明する。
【００２７】
電源が投入されるとマイクロコンピュータ１１０は光ディスク１２０から前述のファイルシステムに則って管理情報を読み出し、この管理情報に基づいて記録可能（空き）領域の検索を行う。この時記録可能容量を算出し、記録可能容量と現在設定されている記録画質モードとに基づいて、記録可能時間を算出する。記録中はディスク１２０の記録可能容量の減少を監視し、定期的に記録可能時間を更新していく。マイクロコンピュータ１１０は常にスイッチの状態を検出し、ユーザの操作を監視している。以下ユーザの操作は断りのない限り操作スイッチ群１１２等のユーザインターフェースを介してマイクロコンピュータ１１０に操作を伝えるものとする。
【００２８】
次に、ユーザが録画開始要求を発生させると、カメラ画像及び音声の記録を開始すべく、マイクロコンピュータ１１０が各ブロックを制御する。
【００２９】
エンコーダ部１０２にはＭＰＥＧ２エンコード処理を開始させ、圧縮ビデオデータを、制御回路１０４を介してメモリ１０６の所定アドレスを先頭に蓄積するよう制御する。所定量のデータを蓄積する毎にエンコーダ部１０２はマイクロコンピュータ１１０に割り込み等の手段により通知する。
【００３０】
マイクロコンピュータ１１０はこの通知を受け、次に蓄積すべき先頭アドレスを制御回路１０４に通知する。さらにマイクロコンピュータ１１０はメモリ１０６に蓄積された圧縮ビデオデータを光ディスク１２０に書き込むよう光ディスク１２０及び制御回路１０４にコマンドを発行する。この時光ディスク１２０に書き込む領域はファイルシステムに則って検索された記録可能（空き）領域である。このエンコード処理から光ディスク１２０への書き込みまでの一連の処理を、録画停止要求が発生するまで繰り返す。
【００３１】
また、本形態では、チャプタ毎にその先頭画像を代表画像データとして管理情報に格納すると共に、新たにタイトルを生成する度に、各タイトル内の所定のチャプタ、例えば先頭チャプタの代表画像をタイトルの代表画像として管理情報に格納している。
【００３２】
本形態においては、１回に記録したシーンの圧縮ビデオデータをチャプタとして管理する。そして、所定数のチャプタが作成される度に次のタイトルを作成し、そのタイトル内に新たにチャプタを作成していく。この様子について図２を用いて説明する。図２では、説明を簡略化するために四つのチャプタを一つのタイトルとして管理しているが、これに限るものではない。
【００３３】
２０１、２０２はそれぞれタイトルである。２０１ａ、２０１ｂ、２０１ｃ、２０１ｄはそれぞれチャプタである。最初の撮影で記録されるのはチャプタ２０１ａであり、１タイトルに四つ目のチャプタ２０１ｄが記録されたところでタイトル２０１への追加をやめ、次の記録時にタイトル２０２が作成され、チャプタが記録されるといった流れである。
【００３４】
また本形態では、各タイトル、またはその管理ファイルに、少なくとも図６のようなフラグ情報を記録する領域が設けている。フラグ名がソースと記されているビット（ビット５，６）はソース情報であり、記録ソースを識別するために設けられている。例えば、あるタイトルがビデオデッキによって放送波を録画したものであれば０ｘ０を、またビデオカメラで録画されたものであれば０ｘ２をそれぞれ記述する。
【００３５】
次に再生動作について説明する。
【００３６】
ユーザによる操作スイッチ群１１２の操作によってコンテンツ一覧画面表示の指示があると、マイクロコンピュータ１１０は、ディスクより再生した管理情報に基づいてチャプタ名の情報及び、チャプタごとの代表画像（サムネイル）をディスク１２０より再生し、ＯＳＤ部１１３により代表画像の一覧画面を表示し（以降インデックス画面とする）、液晶パネル１５１に表示する。
【００３７】
ユーザはこのインデックス画面を確認し、操作スイッチ群１１２を操作してポインタを所望のコンテンツまで移動させ、決定することにより再生開始を指示する。
【００３８】
マイクロコンピュータ１１０は、このように決定したチャプタのデジタルビデオデータを光ディスク１２０から読み出しを開始する。具体的には、光ディスク１２０から指定されたコンテンツのデータを読み出してメモリ１０６に蓄積するよう制御回路１０４にコマンドを発行する。この時、光ディスク１２０の読み出し先頭セクタ、メモリ１０６の書き込み先頭アドレス、データ量はマイクロコンピュータ１１０が指定する。次にマイクロコンピュータ１１０はデコーダ部１０８に対し、メモリ１０６に蓄積されたデジタルビデオデータをデコード処理するようコマンドを発行する。コンテンツが終了するか停止、または一時停止等のユーザ操作が加えられるまで、デコーダ部１０８にデコード処理するデジタルビデオデータが途切れることのないよう一連の処理が繰り返し実行される。
【００３９】
図３は、前述のインデックス画面の例である。
【００４０】
３０１はインデックス画面であり、１ページあたり最大６枚の代表画像を表示するものとする。３０２、３０３、３０４、３０５、３０６はそれぞれ代表画像であり、各チャプタに対応している。図２の例ではチャプタが五つなので５枚の代表画像が並んでいる。３１１はユーザが代表画像を選択するためのカーソルである。
【００４１】
次に、インデックス画面を生成するときの処理について図７のフローチャートを用いて説明する。
【００４２】
インデックス画面表示の指示があると、管理情報または、ディスク１２０２記録されたタイトルのソース情報を確認し（ステップＳ７０１）、タイトルに対応するソース情報（図６）がカメラであるか否かを判定する（ステップＳ７０２）。ソースがカメラである場合、図３で説明したように、このタイトルに含まれる各チャプタの代表画像データをディスク１２０より再生する（ステップＳ７０３）。また、ソースがカメラ以外であった場合、このタイトルの代表画像データをディスク１２０より再生する（ステップＳ７０４）。
【００４３】
そして、ディスク１２０に残りのタイトルがあるか否かを判別し（ステップＳ７０５）、残りのタイトルがある場合には、Ｓ７０１に戻って次のタイトルに対して同様の処理を繰り返す。また、全てのタイトルについてチャプタ単位、あるいはタイトル単位の代表画像の生成が終了すると、これらの代表画像データを用いてインデックス画像を生成生成、表示する（ステップＳ７０６）。
【００４４】
以上のような処理を実行することにより、図２のようにビデオカメラで記録されたコンテンツのみが記録されたディスクのインデックス画面は、図３のような全てのチャプタの代表画像を表示するインデックス画面となる。
【００４５】
しかしながら、チューナーを搭載し主にテレビジョン放送を録画することを目的としたビデオレコーダで録画されたコンテンツがディスクに記録されていた場合、このようなビデオレコーダで記録されたコンテンツについてはタイトル単位の代表画像を表示する。
【００４６】
この様にビデオカメラで記録したコンテンツと、他のソースから記録したコンテンツとが混在するディスク様子を図４に示す。
【００４７】
４０１、４０２はそれぞれタイトルである。ただしタイトル４０１は本実施形態のビデオカメラで記録され、一方タイトル４０２はチューナーを搭載したビデオレコーダによって記録されたものである。タイトル４０１は四つのチャプタから構成され、タイトル４０２は三つのチャプタから構成されている。
【００４８】
図４のディスクのインデックス画面の例を図５に示す。
【００４９】
５０１は図３と同様のインデックス画面である。５０２、５０３、５０４、５０５、５０６はそれぞれ代表画像であり、図４の各チャプタ、またはタイトルに対応している。
【００５０】
ただし、本形態のビデオカメラによって録画されたタイトル４０１については、図３と同様、チャプタ単位で代表画像を生成、表示し、チューナーから録画されたタイトル４０２はタイトルに対する代表画像を一つ生成し、表示する。
【００５１】
以上説明したように、本実施形態によれば、インデックス画面を表示する際、ビデオカメラによって記録されたタイトルであるか否かを判定し、この判定結果に基づき、タイトル毎の代表画像とチャプタ毎の代表画像の何れかを選択して表示している。
【００５２】
従ってビデオレコーダとビデオカメラで記録した何れのコンテンツを再生する場合にも、ユーザはその都度インデックス画面の表示単位をタイトルとチャプタとの間で切り替えずに済み、容易に所望のコンテンツを選択して再生することができる。そのため、ユーザが混乱することのない、使い勝手の良いシステムを提供することが可能となる。
【００５３】
なお、本形態では、ビデオカメラに対して本発明を適用した場合について説明したが、同様の機能を据え置きタイプのディスクビデオレコーダに搭載することにより、インデックス画面を表示する際に、チューナーで受信して録画したコンテンツについてはタイトル毎の代表画像を表示すると共に、ビデオカメラで記録されたコンテンツについてはチャプタ毎の代表画像を表示することができるようになる。
【００５４】
また、本実施形態では、各タイトルのソースを判定する際に、図７の如き識別フラグを管理情報または各タイトルに付加して記録していたが、各チャプタのＭＰＥＧデータに対し、カメラ固有のデータ（例えばシャッター速度、絞りなど）を多重化して記録しておき、インデックス画面表示の際に、このカメラデータが記録されているか否かを判別することで、コンテンツのソースがビデオカメラであるか否かを判定しても良い。
【００５５】
第２の実施形態について説明する。
【００５６】
図８は図６と同様に各タイトルに記録されるフラグ情報である。
【００５７】
ビット４の情報は録画単位情報であり、０ｘ０であればタイトル単位、０ｘ１であればチャプタ単位で記録されたことを示している。
【００５８】
そして、本実施形態では、図１のビデオカメラにて動画像を撮影する際に、一つの撮影シーンを一つのタイトルとして管理するか、あるいは、チャプタとして管理するかを選択し、タイトルの管理情報あるいはタイトルのＭＰＥＧデータに対して、図８のビット４として選択結果に応じた値を記録している。
【００５９】
次に、図８のフラグ情報を用いてインデックス画面を生成する処理について、図９のフローチャートを用いて説明する。
【００６０】
インデックス画面表示の指示があると、管理情報または、ディスク１２０に記録された記録単位の情報を確認し（ステップＳ９０１）、タイトルに対応するソース情報（図８）が０ｘ１、即ちチャプタ単位であるか否かを判定する（ステップＳ９０２）。チャプタ単位であった場合、図３で説明したように、このタイトルに含まれる各チャプタの代表画像データをディスク１２０より再生する（ステップＳ９０３）。
【００６１】
そして、ディスク１２０に残りのタイトルがあるか否かを判別し（ステップＳ９０５）、残りのタイトルがある場合には、Ｓ９０１に戻って次のタイトルに対して同様の処理を繰り返す。また、全てのタイトルについてチャプタ単位、あるいはタイトル単位の代表画像の生成が終了すると、これらの代表画像データを用いてインデックス画像を生成生成、表示する（ステップＳ９０６）。
【００６２】
以上のような処理を実行することにより、インデックス画面表示の際、タイトル単位で記録したコンテンツについてはタイトルの代表画像を表示し、チャプタ単位で記録したコンテンツについてはチャプタの代表画像を表示するので、撮影時のユーザの意図を反映したインデックス画面を生成することが可能となる。
【００６３】
次に、第３の実施形態を説明する。
【００６４】
ＤＶＤのディスクとして、直径１２ｃｍのものと、８ｃｍのものが用意されている。このうち、８ｃｍのディスクは１２ｃｍのディスクに比べて小型であるため、現在、携帯性やドライブの小型、軽量化が重視されるビデオカメラ用途に利用されている。一方、１２ｃｍのディスクは８ｃｍのディスクに比べてサイズは大きいものの、記録容量が大きいため、再生専用のＤＶＤビデオディスクや、据え置き型のディスクレコーダ用途に利用されている。
【００６５】
そこで、第３の実施形態として、ディスクのサイズに応じて代表画像の表示形態を決定する構成のディスクレコーダについて説明する。
【００６６】
図１０は、第３の実施形態としてのディスクレコーダの構成を示す図である。
【００６７】
図３のディスクレコーダは、１２ｃｍのＤＶＤディスクに対してはコンテンツの記録及び再生が可能であり、８ｃｍのＤＶＤに対してはコンテンツの再生機能のみを持つものとする。
【００６８】
図１０において、１００１はチューナ、１００２は画像、音声データをＭＰＥＧ２形式で符号化、復号化処理する符号化処理回路、１００３は外部の表示装置Ｍに対して画像データを出力する出力回路、１００４は各部を制御する制御回路、１００５は各種のスイッチを有する操作部で、リモートコントローラも含む。１００６は後述のインデックス画面の他、各種の表示用画像データを生成して出力回路１００３に供給する表示画像生成回路、１００７はディスクＤに対して各種のデータを記録再生する記録再生回路であり、記録再生回路１００７はディスクＤに対して光ビームを照射するピックアップやピックアップを移動するシークモータ、ディスクＤを回転駆動するスピンドルモータなどを含む。ディスクＤは不図示の装着、排出機構を用いて装着、排出される。１００８は装着されたディスクが、１２ｃｍと８ｃｍの何れのものであるかを判別するディスク判別回路、１００９はデータバスである。
【００６９】
図１０において、新たにディスクＤが装着されると、制御回路１００４はディスクＤの内周部分の所定領域より、ディスク判定用のデータを再生するよう記録再生回路１００７を制御する。記録再生回路１００７は指定された領域よりディスク判別用のデータを再生してディスク判別回路１００８に出力する。ディスク判別回路１００８は再生された判別用のデータに基づき、装着されたディスクが８ｃｍのものであるのか、１２ｃｍのものであるのかを判別し、制御回路１００４に知らせる。制御回路１００４は判別結果に基づき、１２ｃｍディスクの場合には記録機能及び再生機能を有効にし、８ｃｍディスクであった場合には、再生機能のみを有効にする。
【００７０】
次に、具体的な記録再生動作について説明する。
【００７１】
操作部１００５より受信チャンネル切り替えの指示があると、制御回路１００４はチューナー１００１を制御して、指定されたチャンネルの放送を受信し、出力回路１００３を介して表示装置Ｍに出力する。また、記録開始の指示があると、制御回路１００４は符号化処理回路１００２を制御して、チューナー１００１より得られた放送番組の映像、音声データをＭＰＥＧ２方式で符号化し、記録再生回路１００７によりディスクＤに対して記録を開始する。また、記録停止の指示があると、記録再生回路１００７によるＭＰＥＧデータの記録を停止する。このとき、本実施形態では、記録開始の指示から記録停止の指示までの間に記録した一連のコンテンツを一つのタイトルとして管理するため、ディスクＤに記録されている管理情報を更新する。
【００７２】
また、再生時においては、操作部１００５よりコンテンツ再生の指示があると、制御回路１００４は記録再生回路１００７を制御し、指定されたコンテンツをディスクＤより再生し、符号化処理回路１００２に出力する。符号化処理回路１００２は再生されたコンテンツのデータを復号し、元の映像、音声データに変換して、出力回路１００３に供給する。出力回路１００３は再生された映像、音声データを表示装置Ｍに出力する。
【００７３】
次に、再生時における、インデックス画面の表示処理について説明する。
【００７４】
本実施形態においても、ディスクＤに記録されているコンテンツの代表画像の一覧画面を生成して表示装置Ｍに表示し、ユーザがこれらの代表画像より再生したいコンテンツを選択して再生する、ＧＵＩ機能を持つ。
【００７５】
図１１は制御回路１００４によるインデックス画面の表示処理を示すフローチャートである。
【００７６】
操作部１００５によりインデックス画面表示の指示があると、制御回路１００４は装着されているディスクの判別結果を確認し（ステップＳ１１０１）、８ｃｍディスクであるか否かを判別する（ステップＳ１１０２）。８ｃｍディスクであった場合、図１の如きビデオカメラで使用されることが多いため、ディスクＤに記録されている各タイトルのコンテンツについて、チャプタを単位として代表画像データを再生するよう、記録再生回路１００７を制御する（ステップＳ１１０３）。そして、ディスクＤの残りのタイトルについてＳ１１０３の処理を繰り返して代表画像データを再生した後（ステップＳ１１０４）、これらの代表画像データを用いてインデックス画面の画像データを生成するよう表示画像生成回路１００６を制御する（ステップＳ１００７）。
【００７７】
一方、１２ｃｍディスクであった場合には、本実施形態の如き据え置き型のディスクレコーダで使用されることが多いため、タイトルを単位として代表画像データを再生するよう、記録再生回路１００７を制御する（ステップＳ１１０５）。
【００７８】
そして、ディスクＤの残りのタイトルについてＳ１１０５の処理を繰り返して代表画像データを再生した後（ステップＳ１１０６）、これらの代表画像データを用いてインデックス画面の画像データを生成するよう表示画像生成回路１００６を制御する。
【００７９】
表示画像生成回路１００６はこの様に生成したインデックス画面とコンテンツ選択用のカーソル画像とを多重して表示用の画像データを生成し、出力回路１００３を介して表示装置Ｍに出力する。
【００８０】
以上のように、インデックス画面を表示する際、ビデオカメラ用途を主目的とした８ｃｍディスクを再生するときにはチャプタ単位の代表画像を表示し、１２ｃｍディスクを再生するときにはタイトル単位のインデックス画面を表示するので、ディスクの用途に合わせて最適なインデックス画面を表示して、ユーザが容易に所望のコンテンツを選択して再生することができる。
【００８１】
なお、前述の第１〜第３の実施形態においては、それぞれコンテンツのソース、管理の単位、及びディスクのサイズなどに応じて、自動的にインデックス画面に表示する代表画像の単位を切り替えていたが、この様な自動切り替えの機能を実行するか否かをユーザが選択できるように構成してもよい。
【００８２】
即ち、図１のビデオカメラ、あるいは図１０のディスクレコーダにおいて、ユーザがインデックス画面に表示する代表画像として、タイトル単位、チャプタ単位、自動切り替えの中から一つを選択し、インデックス画面の表示の際に、選択結果に応じて代表画像を生成し、インデックス画面を表示すればよい。
【００８３】
図１２は、この様にユーザの選択結果に応じて、インデックス画面の自動切り替え表示処理と、タイトル単位、あるいはチャプタ単位のインデックス画面の生成処理を実行する場合のフローチャートである。
【００８４】
インデックス画面表示の指示があると、インデックス画面の表示単位の自動切り替えが設定されているか否かを判別し（ステップＳ１２０１）、自動切り替えが設定されていた場合、前述の実施形態にて説明したように、チャプタ単位、あるいは、タイトル単位の代表画像を自動で選択してインデックス画面を生成し、表示する（ステップＳ１２０２）。また、自動切り替えが設定されていない場合には、タイトル単位でのインデックス画面を表示する設定となっているか否かを判別し（ステップＳ１２０３）、タイトル表示の設定となっている場合には、各タイトルの代表画像を再生してインデックス画面を生成する（ステップＳ１２０４）。また、タイトル単位の表示ではなく、チャプタ単位での表示設定となっていた場合、タイトルの各チャプタの代表画像を再生してインデックス画面を生成する（ステップＳ１２０５）。
【００８５】
なお、第３の実施形態では、ＤＶＤを記録メディアとして利用し、８ｃｍディスクと１２ｃｍディスクを判別した判別結果に応じてインデックス画面の表示形態を切り替えていたが、これ以外にも、用途に応じてメディアのサイズや１回に記録する動画像データを管理する単位が決まっているような場合、第３の実施形態と同様にディスクのサイズを検出してインデックス画面の表示形態を自動的に切り替えるようにしてもよい。
【００８６】
なお、前述の各実施形態では、ＤＶＤを記録媒体として用いた場合について説明したが、これ以外にも、タイトルやチャプタなどの様に、異なる単位で記録したコンテンツを管理するシステムに対しても本発明を同様に適用でき、同様の効果をもつ。
【図面の簡単な説明】
【００８７】
【図１】本発明の実施形態におけるビデオカメラの構成を示す図である。
【図２】光ディスクに記録されるコンテンツの構造例を示す図である。
【図３】インデックス画面の例を示す図である。
【図４】光ディスクに記録されるコンテンツの構造例を示す図である。
【図５】インデックス画面の例を示す図である。
【図６】各タイトルに設けられているフラグ情報を示す図である。
【図７】第１の実施形態の動作を示すフローチャートである。
【図８】各タイトルに設けられているフラグ情報の別な例を示す図である。
【図９】第２の実施形態の動作を示すフローチャートである。
【図１０】第３の実施形態におけるディスクレコーダの構成を示す図である。
【図１１】第３の実施形態の動作を示すフローチャートである。
【図１２】他の実施形態の動作を示すフローチャートである。
【図１】
2006238337.tif 000003
【図２】
2006238337.tif 000004
【図３】
2006238337.tif 000005
【図４】
2006238337.tif 000006
【図５】
2006238337.tif 000007
【図６】
2006238337.tif 000008
【図７】
2006238337.tif 000009
【図８】
2006238337.tif 000010
【図９】
2006238337.tif 000011
【図１０】
2006238337.tif 000012
【図１１】
2006238337.tif 000013
【図１２】
2006238337.tif 000014